(57)【特許請求の範囲】
【請求項１】
内燃機関から排出される排ガス中のパティキュレートを捕集して排ガスの浄化を行なう排ガス浄化フィルタにおいて、
該排ガス浄化フィルタは，多数の細孔を有する隔壁と，該隔壁により仕切られたセルとを有するハニカム構造体を有しており、
上記セルのいずれか一方の開口部に栓部を設けてなり、上記ハニカム構造体の端面においては，上記栓部を設けたセルの開口部と、上記栓部を設けていないセルの開口部とが交互に配置されており、
上記隔壁は，表面開口径が１０μｍ以下の細孔による表面開口面積率が、全体の表面開口面積率の２０％以下であり、
上記隔壁は、表面開口径が７０μｍ以上の細孔による表面開口面積率が，全体の表面開口面積率の４０％以下であり、
上記隔壁は、細孔径が１０μｍ未満の細孔による気孔率が１０％以下であり，かつ，細孔径が７０μｍを超える細孔による気孔率が１０％以下であり、
上記隔壁に形成された細孔の表面開口径をレーザー深度顕微鏡にて測定し平均した値が、上記隔壁に形成された全ての細孔径を水銀圧入式のポロシメータにて測定し平均した値の１．５倍以上であることを特徴とする排ガス浄化フィルタ。
【請求項２】
請求項１において、上記隔壁は，細孔径が７０μｍを超える細孔による気孔率が５％以下であることを特徴とする排ガス浄化フィルタ。
【請求項３】
請求項１において、上記ハニカム構造体は、コージェライト、炭化珪素、チタン酸アルミニウム、又はリン酸ジルコニウムのいずれかからなることを特徴とする排ガス浄化フィルタ。
【請求項４】
請求項１〜２のいずれか一項において、上記隔壁の全体の気孔率は５５〜７５％であることを特徴とする排ガス浄化フィルタ。
【請求項５】
請求項１〜３のいずれか一項において、上記排ガス浄化フィルタの上記セルの開口部の面積は０．６〜２．２５ｍｍ2であることを特徴とする排ガス浄化フィルタ。
【請求項６】
請求項１において、上記隔壁は、平均表面開口径が平均細孔径の１．５〜２倍であることを特徴とする排ガス浄化フィルタ。
【発明の詳細な説明】
【技術分野】
【０００１】
本発明は，内燃機関から排出される排ガス中のパティキュレートを捕集して排ガスの浄化を行なう排ガス浄化フィルタに関する。
【背景技術】
【０００２】
従来より，内燃機関から排出される排ガス中のパティキュレートを捕集して排ガスの浄化を行なう排ガス浄化フィルタがある。該排ガス浄化フィルタは，多数の細孔を有する隔壁と，該隔壁により仕切られたセルとを有するハニカム構造体を有している。
【０００３】
該排ガス浄化フィルタを用いて排ガスを浄化する際には，排ガスを上記セルに導入し，上記隔壁を通過させて隣のセルへ移動させる。このとき，上記排ガス中のパティキュレートが上記隔壁に捕集され，上記排ガスが浄化される。また，例えば，上記隔壁に触媒を担持させておくことにより，捕集したパティキュレートを触媒反応により分解除去することができる。
【０００４】
上記排ガス浄化フィルタの性能としては，排ガスの浄化効率が高いことと，通過させる排ガスの圧力損失が小さいことが重要である。そこで，特許第２７２６６１６号公報に開示されているように，気孔率，孔径等を所定の範囲に規定して性能を向上させた排ガス浄化フィルタが提案されている。
【発明の開示】
【発明が解決しようとする課題】
【０００５】
しかしながら，一層高性能な排ガス浄化フィルタが要求される近年においては，上記従来の排ガス浄化フィルタによっても，排ガスの浄化効率の向上，排ガスの圧力損失の低減を充分に行うことは困難である。
【０００６】
即ち，図６に示すごとく，上記排ガス浄化フィルタの隔壁９１におけるそれぞれの細孔９３は，その表面開口径，細孔径が不均一である。そのため，上記隔壁９１の表面９１１にパティキュレートが堆積して細孔９３の開口部９３１を塞いだり，パティキュレートが上記隔壁９１に捕集されずに排出されたりするといった現象が生じる。その結果，充分な浄化効率の向上，圧力損失の低減を図ることが困難である。
【０００７】
本発明は，かかる従来の問題点に鑑みてなされたもので，浄化効率が高く，圧力損失が小さい排ガス浄化フィルタを提供しようとするものである。
【課題を解決するための手段】
【０００８】
本発明は，内燃機関から排出される排ガス中のパティキュレートを捕集して排ガスの浄化を行なう排ガス浄化フィルタにおいて、該排ガス浄化フィルタは，多数の細孔を有する隔壁と，該隔壁により仕切られたセルとを有するハニカム構造体を有しており、上記セルのいずれか一方の開口部に栓部を設けてなり、上記ハニカム構造体の端面においては，上記栓部を設けたセルの開口部と、上記栓部を設けていないセルの開口部とが交互に配置されており、上記隔壁は，表面開口径が１０μｍ以下の細孔による表面開口面積率が、全体の表面開口面積率の２０％以下であり、上記隔壁は、表面開口径が７０μｍ以上の細孔による表面開口面積率が，全体の表面開口面積率の４０％以下であり、上記隔壁は、細孔径が１０μｍ未満の細孔による気孔率が１０％以下であり，かつ，細孔径が７０μｍを超える細孔による気孔率が１０％以下であり、上記隔壁に形成された全ての細孔の表面開口径をレーザー深度顕微鏡にて測定し平均した値が、上記隔壁に形成された全ての細孔の表面開口径を水銀圧入式のポロシメータにて測定し平均した値の１．５倍以上であることを特徴とする排ガス浄化フィルタにある（請求項１）。
【０００９】
上記隔壁は，表面開口径が１０μｍ以下の細孔による表面開口面積率が，全体の表面開口面積率の２０％以下である。即ち，比較的パティキュレートが開口部に詰まり易い「表面開口径の小さすぎる細孔」が少ない。そのため，パティキュレートが細孔の開口部に詰まって，上記隔壁に堆積することを防ぐことができる。これにより，上記細孔に，排ガスを充分に導入することができる。それ故，排ガスの浄化効率を充分に高くすることができる。また，上記排ガス浄化フィルタに導入される排ガスの圧力損失を小さくすることができる。
【００１０】
また，上記隔壁は，表面開口径が７０μｍ以上の細孔による表面開口面積率が，全体の表面開口面積率の４０％以下である。
【００１１】
また、上記隔壁は，細孔径が１０μｍ未満の細孔による気孔率が１０％以下である。即ち，上記排ガス浄化フィルタに導入される排ガスの圧力損失の増大の原因となる「細孔径の小さすぎる細孔」が少ない。そのため，排ガスの圧力損失を小さくすることができる。また，比較的パティキュレートが細孔に詰まり易い「細孔径の小さすぎる細孔」が少ないことにより，隔壁にパティキュレートが堆積することを防ぐことができる。そのため，細孔に充分に排ガスを導入することができ，浄化効率を高くすることができる。
【００１２】
さらに，細孔径が７０μｍを超える細孔による気孔率が１０％以下である。即ち，比較的パティキュレートを捕集し難い「細孔径の大きすぎる細孔」が少ない。そのため，上記隔壁は，充分にパティキュレートを捕集することができる。それ故，上記排ガス浄化フィルタは，浄化効率を充分に高くすることができる。
【００１３】
また，上記隔壁は，平均表面開口径が平均細孔径よりも大きい。
【００１４】
そのため、浄化効率が高く，圧力損失が小さい排ガス浄化フィルタを提供する。上記平均表面開口径とは，上記隔壁に形成された細孔の表面開口径を平均したものである。また，上記平均細孔径とは，上記隔壁に形成された全ての細孔の細孔径を平均したものである。
【００１５】
即ち，平均表面開口径が平均細孔径よりも大きいということは，表面開口径が細孔径よりも大きい細孔が一定割合以上存在することとなる。そして，表面開口径が細孔径よりも大きい細孔は，比較的その開口部においてパティキュレートが堆積し難く，かつ内部においてパティキュレートを捕集し易い。それ故，上記細孔が閉塞されることを防ぐと共に浄化効率を向上させることができる。そのため，このような細孔が上記のごとく充分な割合で存在することにより，浄化効率を充分に高くし，圧力損失を充分に小さくすることができる。上述したごとく，表面開口径は，レーザー深度顕微鏡を用いて測定し，細孔径は，水銀圧入式のポロシメータを用いて測定する。
【００１６】
また，上記隔壁は，平均表面開口径が平均細孔径の１．５倍以上である。そのため、浄化効率が高く，圧力損失が小さい排ガス浄化フィルタを提供することができる。
【００１７】
本発明によれば，浄化効率が高く，圧力損失が小さい排ガス浄化フィルタを提供することができる。
【発明を実施するための最良の形態】
【００１８】
本発明（請求項１）において，上記内燃機関として，例えばディーゼルエンジン等がある（以下同様）。また，「表面開口径」とは，隔壁の表面における細孔の開口部の直径をいう。表面開口径は，レーザー深度顕微鏡を用いて測定する。即ち，上記レーザー深度顕微鏡により，上記隔壁の表面の２００倍の拡大画像を画像処理する。これにより，所定値より深度の大きい部分を上記隔壁の表面における細孔の開口部として検出し，表面開口径を算出することができる。
【００１９】
また，「表面開口径が１０μｍ以下の細孔による表面開口面積率」とは，例えば，レーザー深度顕微鏡により測定された隔壁の面積に対する上記表面開口径１０μｍ以下の細孔すべての面積の割合である（以下同様）。また，上記排ガス浄化フィルタは，細孔の内壁を含む上記隔壁に触媒を担持してなることが好ましい。これにより，上記隔壁に捕集されたパティキュレートを，上記触媒の作用により，分解除去することができる。
【００２０】
また、上記細孔径は，水銀圧入式のポロシメータにより測定して得る。また，上記気孔率は，例えば水銀圧入式のポロシメータにより測定して得られた値であり，隔壁の単位体積あたりの細孔の容積である。また，好ましくは，上記隔壁は，細孔径が５０μｍを超える細孔による気孔率が１０％以下である。
【００２１】
また，上記隔壁は，細孔径が７０μｍを超える細孔による気孔率が５％以下であることが好ましい（請求項２）。この場合には，上記隔壁は，一層充分にパティキュレートを捕集することができる。それ故，上記排ガス浄化フィルタは，浄化効率をより一層高くすることができる。また，好ましくは，細孔径が５０μｍを超える細孔による気孔率が５％以下である。
【００２２】
次に，上記ハニカム構造体は，コージェライト，炭化珪素，チタン酸アルミニウム，又はリン酸ジルコニウムのいずれかからなることが好ましい（請求項３）。この場合には，所望の表面開口径，細孔径，気孔率を有する隔壁を容易に形成することができる。
【００２３】
また，上記隔壁の全体の気孔率は５５〜７５％であることが好ましい（請求項３）。これにより，一層，浄化効率が高く，圧力損失が小さい排ガス浄化フィルタを提供することができる。上記気孔率が５５％未満の場合には，圧力損失が高くなるおそれがある。一方，上記気孔率が７５％を超える場合には，排ガス浄化フィルタの強度が低下するおそれがある。
【００２４】
また，上記排ガス浄化フィルタは，上記セルのいずれか一方の開口部に栓部を設けてなり，上記ハニカム構造体の端面においては，上記栓部を設けたセルの開口部と，上記栓部を設けていないセルの開口部とが交互に配置されており，かつ，上記セルの開口部の面積は０．６〜２．２５ｍｍ２であることが好ましい（請求項４）。
【００２５】
この場合にも，浄化効率が高く，圧力損失が小さい排ガス浄化フィルタを提供することができる。上記排ガス浄化フィルタを用いる場合には，上記ハニカム構造体の一方の端面において，上記栓部を設けていない開口部から，上記セルに排ガスを導入する。導入した排ガスは，上記隔壁を通過して，隣のセルへ移動し，該セルの栓部を設けていない開口部から排出される。そして，上記排ガスが隔壁を通過する際に，排ガスの浄化が行なわれる。
【００２６】
上記のごとく，上記ハニカム構造体の端面においては，上記栓部を設けたセルの開口部と，上記栓部を設けていないセルの開口部とが交互に配置されているため，排ガスを導入するセルと，排出するセルとが互いに隣合って配置されることとなる。それ故，排ガスが効率的に上記隔壁を通過する。従って，浄化効率に優れた排ガス浄化フィルタを得ることができる。
【００２７】
また，上記セルの開口部の面積は０．６〜２．２５ｍｍ２であるため，一層浄化効率が高く，圧力損失が小さい排ガス浄化フィルタを提供することができる。上記セルの開口部の面積が０．６ｍｍ２未満の場合には，圧力損失が大きくなるおそれがある。一方，上記面積が２．２５ｍｍ２を超える場合には，浄化効率を充分に得ることができないおそれがある。
【００２８】
また，上記隔壁は，平均表面開口径が平均細孔径の１．５〜２倍であることがより好ましい（請求項６）。平均表面開口径を平均細孔径の２倍以下に規定することにより，浄化効率の低下を防ぐことができるからである。
【実施例】
【００２９】
（実施例１）
本発明の実施例にかかる排ガス浄化フィルタにつき，図１〜図４を用いて説明する。本例の排ガス浄化フィルタ１は，内燃機関としてのディーゼルエンジンから排出される排ガス中のパティキュレートを捕集して，排ガスの浄化を行なう。
【００３０】
該排ガス浄化フィルタ１は，図１〜図３に示すごとく，多数の細孔１３を有する隔壁１１と，該隔壁１１により仕切られたセル１２とを有するハニカム構造体１０を有している。上記隔壁１１は，図３に示す表面開口径Ａが１０μｍ以下の細孔１３による表面開口面積率が，全体の表面開口面積率の２０％以下である。また，上記隔壁１１は，表面開口径Ａが７０μｍ以上の細孔１３による表面開口面積率が，全体の表面開口面積率の４０％以下である。
【００３１】
上記「表面開口径」とは，隔壁１１の表面１１１における細孔１３の開口部１３１の直径をいう。表面開口径Ａは，レーザー深度顕微鏡を用いて測定する。即ち，上記レーザー深度顕微鏡により，上記隔壁１１の表面１１１の２００倍の拡大画像を画像処理する。これにより，所定値より深度の大きい部分を上記隔壁１１の表面１１１における細孔１３の開口部１３１として検出し，表面開口径Ａを算出する。また，上記表面開口面積率は，レーザー深度顕微鏡により測定して得られた値であり，隔壁１１の単位面積あたりに存在する細孔１３の表面開口面積である。
【００３２】
また，「表面開口径が１０μｍ以下の細孔１３による表面開口面積率」とは，上記表面開口径が１０μｍ以下の細孔が，隔壁１１の単位面積に占める累積の面積である（以下同様）。また，上記排ガス浄化フィルタ１は，細孔１３の内壁を含む上記隔壁１１に触媒を担持してなる（図示略）。これにより，上記隔壁１１に捕集されたパティキュレートを，上記触媒の作用により，分解除去することができる。また，上記ハニカム構造体１０は，コージェライトからなる。なお，このコージェライトに代えて，炭化珪素，チタン酸アルミニウム，又はリン酸ジルコニウムを採用することもできる。また，上記隔壁１１の全体の気孔率は５５〜７５％である。
【００３３】
図１，図２に示すごとく，上記排ガス浄化フィルタ１は，上記セル１２のいずれか一方の開口部１２１，１２２に栓部１４を設けてなる。上記ハニカム構造体１０の端面１９１，１９２においては，上記栓部１４を設けたセル１２の開口部１２１，１２２と，上記栓部１４を設けていないセル１２の開口部１２１，１２２とが交互に配置されている。即ち，図１に示すごとく，上記ハニカム構造体１０を端面１９１，１９２から見たとき，いわゆる市松模様状となるように，上記栓部１４が配設されている。また，上記セル１２の開口部１２１，１２２の面積は０．６〜２．２５ｍｍ２である。
【００３４】
また，上記隔壁１１は，平均表面開口径が平均細孔径よりも大きい。即ち，図４に示すような開口部１３１が広く内部が狭い構造の細孔１３が，多く形成されている。具体的には，平均表面開口径が平均細孔径の１．５〜２倍である。上記平均表面開口径とは，上記隔壁１１に形成された全ての細孔１３の表面開口径を平均したものである。また，上記平均細孔径とは，上記隔壁１１に形成された全ての細孔１３の細孔径を平均したものである。
【００３５】
上記排ガス浄化フィルタ１を用いる場合には，図２に示すごとく，上記ハニカム構造体１０の一方の端面１９１において，上記栓部１４を設けていない開口部１２１から，上記セル１２に排ガス２を導入する。導入した排ガス２は，上記隔壁１１を通過して，隣のセル１２へ移動し，該セル１２の栓部１４を設けていない開口部１２２から排出される。そして，上記排ガス２が隔壁１１を通過する際に，排ガス２の浄化が行なわれる。
【００３６】
上記排ガス浄化フィルタ１を製造するに当っては，下記のＳｉＯ２原料，ＭｇＯ・ＳｉＯ２原料，及びＡｌ２Ｏ３原料からなるコージェライト原料を調整する。即ち，ＳｉＯ２原料とＭｇＯ・ＳｉＯ２原料は，４０μｍ以上の粒子を全体の２０重量％以下とし，１０μｍ以下の粒子を全体の２０重量％以下とする。また，Ａｌ２Ｏ３原料は，７０μｍ以上の粒子を全体の１０重量％以下とし，５μｍ以下の粒子を全体の１０重量％以下とする。
【００３７】
上記コージェライト原料に水を加えて混練し，押出成形してハニカム成形体を得る。成形後，乾燥，焼成を行ない，その後，上記ハニカム成形体における所定のセルの開口部に，いわゆる市松模様状に栓部１４となるスラリーを塗布した後，焼成する。これにより，栓部１４を設けたハニカム構造体１０を製造する。このセラミック構造体１０に，白金等の触媒を担持させて，排ガス浄化フィルタ１を得る（図１）。
【００３８】
次に，本例の作用効果につき説明する。上記隔壁１１は，表面開口径が１０μｍ以下の細孔１３による表面開口面積率が，全体の表面開口面積率の２０％以下である。即ち，比較的パティキュレートが開口部１３１に詰まり易い「表面開口径の小さすぎる細孔」が少ない。そのため，パティキュレートが細孔１３の開口部１３１に詰まって，上記隔壁１１に堆積することを防ぐことができる。
【００３９】
これにより，上記細孔１３に，排ガス２を充分に導入することができる。それ故，排ガス２の浄化効率を充分に高くすることができる。また，上記排ガス浄化フィルタ１に導入される排ガス２の圧力損失を小さくすることができる。
【００４０】
また，上記隔壁１１は，表面開口径が７０μｍ以上の細孔１３による表面開口面積率が，全体の表面開口面積率の４０％以下であるため，浄化効率を一層向上させることができる。
【００４１】
次に，上記ハニカム構造体１０は，コージェライト，炭化珪素，チタン酸アルミニウム，又はリン酸ジルコニウムのいずれかからなる。そのため，所望の表面開口径，細孔径，気孔率を有する隔壁を容易に形成することができる。また，上記隔壁１１の全体の気孔率は５５〜７５％であるため，一層圧力損失が小さい排ガス浄化フィルタ１を提供することができる。
【００４２】
また，上記ハニカム構造体１０の端面１９１，１９２においては，上記栓部１４を設けたセル１２の開口部１２１，１２２と，上記栓部１４を設けていないセル１２の開口部１２１，１２２とが交互に配置されている。そのため，排ガス２を導入するセル１２と，排出するセル１２とが互いに隣合って配置されることとなる。それ故，排ガス２が効率的に上記隔壁１１を通過する。従って，浄化効率に優れた排ガス浄化フィルタ１を得ることができる。
【００４３】
また，上記セル１２の開口部１２１，１２２の面積は０．６〜２．２５ｍｍ２であるため，一層浄化効率が高く，圧力損失が小さい排ガス浄化フィルタ１を提供することができる。
【００４４】
また，上記隔壁１１は，平均表面開口径が平均細孔径よりも大きい（図４）。それ故，一層浄化効率を高くし，圧力損失を小さくすることができる。即ち，平均表面開口径が平均細孔径よりも大きいということは，表面開口径が細孔径よりも大きい細孔１３が一定割合以上存在することとなる。そして，表面開口径が細孔径よりも大きい細孔１３は，比較的その開口部１３１においてパティキュレートが堆積し難く，かつ内部においてパティキュレートを捕集し易い。それ故，上記細孔１３が閉塞されることを防ぐと共に浄化効率を向上させることができる。
【００４５】
そのため，このような細孔１３が上記のごとく充分な割合で存在することにより，浄化効率を充分に高くし，圧力損失を充分に小さくすることができる。
以上のごとく，本例によれば，浄化効率が高く，圧力損失が小さい排ガス浄化フィルタを提供することができる。
【００４６】
（実施例２）
本例は，隔壁１１の細孔径を規定した排ガス浄化フィルタ１の例である。即ち，上記隔壁１１は，細孔径が１０μｍ未満の細孔１３による気孔率が１０％以下である。そして，細孔径が７０μｍを超える細孔１３による気孔率が１０％以下である。なお，より好ましくは，細孔径が７０μｍを超える細孔による気孔率が５％以下である。
【００４７】
上記細孔径は，水銀圧入式のポロシメータにより測定して得ることができる。また，上記気孔率は，水銀圧入式のポロシメータにより測定して得られた値であり，隔壁１１の単位体積あたりの細孔の容積である。また，本例においては，隔壁１１の細孔１３の平均表面開口径については，特に規定していない。その他は，実施例１と同様である。
【００４８】
上記隔壁１１は，細孔径が１０μｍ未満の細孔１３による気孔率が１０％以下である。即ち，上記排ガス浄化フィルタ１に導入される排ガス２の圧力損失の増大の原因となる「細孔径の小さすぎる細孔」が少ない。そのため，排ガス２の圧力損失を小さくすることができる。また，比較的パティキュレートが細孔１３に詰まり易い「細孔径の小さすぎる細孔」が少ないことにより，隔壁１１にパティキュレートが堆積することを防ぐことができる。そのため，細孔１３に充分に排ガス２を導入することができ，浄化効率を高くすることができる。
【００４９】
また，細孔径が７０μｍを超える細孔１３による気孔率が１０％以下である。即ち，比較的パティキュレートを捕集し難い「細孔径の大きすぎる細孔」が少ない。そのため，上記隔壁１１は，充分にパティキュレートを捕集することができる。それ故，上記排ガス浄化フィルタ１は，浄化効率を充分に高くすることができる。
【００５０】
以上のごとく，本例によれば，浄化効率が高く，圧力損失が小さい排ガス浄化フィルタを提供することができる。
【００５１】
（実施例３）
本例は，図５に示すごとく，排ガス浄化フィルタの隔壁における平均表面開口径と，排ガスの圧力損失との関係を測定した例である。具体的には，ＳｉＯ２原料，Ｍｇ・ＳｉＯ２原料，Ａｌ２Ｏ３原料の粒子径を変更することにより，平均表面開口径が３μｍ〜６５μｍの範囲の９種類の細孔における圧力損失を測定した。測定結果を，図５に示す。
【００５２】
図５から分かるように，平均表面開口径が１０μｍ以下となると，圧力損失が特に大きくなる。本例により，表面開口径１０μｍ以下の細孔が多く存在することは，圧力損失を低下させる大きな原因となることが分かる。それ故，表面開口径が１０μｍ以下の細孔を少なくすることにより，圧力損失を低下させることができることが分かる。
【００５３】
（実施例４）
本例は，表１に示すごとく，排ガス浄化フィルタの隔壁における細孔径の分布と，排ガスの圧力損失及びパティキュレートの捕集率との関係を測定した例である。即ち，表１に示すごとく，全体の気孔率に対する細孔径１０μｍ未満の細孔による気孔率の割合，及び，全体の気孔率に対する細孔径７０μｍより大きい細孔による気孔率の割合が異なる，４種類の排ガス浄化フィルタを用意した。これらを，表１に示すごとく，それぞれ試料１〜試料４とした。
【００５４】
上記細孔径の測定は，まず，排ガス浄化フィルタから切り出した１０×１０×１５ｍｍのサンプルに対し，水銀圧入式のポロシメータを用い，細孔内部に水銀を圧入することにより，該当する細孔径の細孔による気孔率を測定した。また，上記各排ガス浄化フィルタに対し，パティキュレートを含む排ガスを，２ｍ２／分の流量で流入させた。そして，マノメータを用いて，排ガス浄化フィルタの前後における圧力損失を計測した。その結果を表１に示す。表１において，圧力損失比とは，試料１の圧力損失の値を基準（１００）として，これに対しての比を表したものである。
【００５５】
また，排ガスを流入させる前後における排ガス浄化フィルタの質量Ｍ１，Ｍ２をそれぞれ測定すると共に，排ガス浄化フィルタを通過したパティキュレートの質量Ｎを計測した。そして，上記質量Ｍ１，Ｍ２，及びＮを基にして，計算式
Ｐ＝（Ｍ２−Ｍ１）／（Ｍ２−Ｍ１＋Ｎ）
により計算することにより，パティキュレートの捕集率Ｐを算出した。算出結果を表１に示す。
【００５６】
【表１】
0004428394.tif 000002
表１より分かるように，細孔径１０μｍ未満の細孔による気孔率が大きいほど，圧力損失は高くなり，細孔径１０μｍ未満の細孔による気孔率が小さいほど，圧力損失は低くなる。一方，細孔径７０μｍを超える細孔による気孔率が大きいほど，捕集率Ｐは低くなり，細孔径７０μｍを超える細孔による気孔率が小さいほど，捕集率は高くなる。
【００５７】
そして，細孔径１０μｍ未満の細孔による気孔率の割合が１０％以下であり，細孔径７０μｍを超える細孔による気孔率の割合も１０％以下である試料４は，圧力損失比が低く（８０），捕集率が高い（９６％）。この結果から，細孔径１０μｍ未満の細孔による気孔率の割合を１０％以下とし，細孔径７０μｍを超える細孔による気孔率の割合を１０％以下とすることにより，圧力損失を低くし，捕集率を高くすることができることが分かる。
【図面の簡単な説明】
【００５８】
【図１】実施例１における，排ガス浄化フィルタの斜視図。
【図２】実施例１における，排ガス浄化フィルタの断面説明図。
【図３】実施例１における，隔壁の断面図。
【図４】実施例１における，隔壁に形成された細孔の模式図。
【図５】実施例３における，隔壁における表面開口径と，排ガスの圧力損失との関係を表す線図。
【図６】従来例における，隔壁の断面図。
【符号の説明】
【００５９】
１．．．排ガス浄化フィルタ，
１０．．．ハニカム構造体，
１１．．．隔壁，
１２．．．セル，
１３．．．細孔，
１４．．．栓部，
２．．．排ガス，
【図１】
0004428394.tif 000003
【図２】
0004428394.tif 000004
【図３】
0004428394.tif 000005
【図４】
0004428394.tif 000006
【図５】
0004428394.tif 000007
【図６】
0004428394.tif 000008